(57)【要約】【課題】構造が簡単で、小さな操作力でも複数のホッパーカセットをホッパーカセット収納部に固定または固定解除できる。【解決手段】一括操作レバー３０を水平移動することで、各カセット固定突起Ｐ３を介して各ホッパーカセット１３Ａ〜１３Ｄを、対応するホッパーカセット収納部１４Ａ〜１４Ｄに固定または固定解除するので、従来の垂直面内で上方向からロック操作レバーによって押さえ込むキーロック機構に比べ、小さな操作力で複数のホッパーカセット１３Ａ〜１３Ｄを同時に固定または固定解除できる。その結果、簡単な構造によって、女性などの力の弱い作業者でも、ホッパーカセット１３Ａ〜１３Ｄの入れ換え作業を容易に行うことができる。【選択図】　　　　図１
2004127193.tif 000002
【特許請求の範囲】
【請求項１】
カードを発行するカード発行機能を備えたカード発行機の筐体内に配備され、発行前の多数の前記カードをそれぞれ収納する複数のホッパーカセットと、該各ホッパーカセットを収納可能な複数のホッパーカセット収納部とを備えたカード発行機のカセットセット機構において、
前記各ホッパーカセット収納部に配置され、水平方向に移動することで、前記各ホッパーカセットを、対応するホッパーカセット収納部に固定または固定解除する複数のカセット固定部材と、
該各カセット固定部材が連結され、水平方向に移動可能な一括操作部材とを有していることを特徴とするカード発行機のカセットセット機構。
【請求項２】
前記一括操作部材は、前記カード発行機に設けられたキーロック機構のキー操作に連動して操作されることを特徴とする請求項１記載のカード発行機のカセットセット機構。
【請求項３】
前記筐体には筐体蓋が設けられ、
該筐体蓋は、前記操作キーをキーロック機構から取り外した場合にだけ、前記筐体蓋が閉蓋可能な構造としたことを特徴とする請求項１または２記載のカード発行機のカセットセット機構。
【発明の詳細な説明】
【０００１】
【発明の属する技術分野】
本発明は、カード発行機のカセットセット機構に関する。さらに詳述すると、本発明は、カード発行機のセキュリティロック付きホッパーカセットの改良に関する。
【０００２】
【従来の技術】
従来のカード発行機には、多数のカードを積み重ねてストックするとともに、下端部にカード供給部を有するホッパーカセットをそれぞれ収納可能な複数のホッパーカセット収納部が直列状態で配置されたホッパーカセット部と、２本のカードホッピング爪を有し、各ホッパーカセットのカード供給部の間を移動可能な移動体を有したカード取り出し移動機構とが配備されている（特開２０００−６７２７８号）。駆動源により移動体を所定のホッパーカセットまで移動し、カードホッピング爪によりカード供給部からカードを抜き出し、その後、移動体をカード発行機内に設けられたインデント／エンボス機構まで移動させ、ここでカードに所定の文字および記号などが刻まれる。
【０００３】
各ホッパーカセットの底部には、両カードホッピング爪が出入りする２つの平行な爪出し入れ孔が配設されている。しかも、各ホッパーカセットの底部には、各出し入れ孔からのカードの抜き取りを防止するシャッタが配されたシャッタ機構がそれぞれ設けられている。
【０００４】
また、ホッパーカセット部には、各ホッパーカセットを一括してホッパーカセット収納部に固定または固定解除するカセットロック機構が搭載されている。
【０００５】
従来のカセットロック機構は、垂直面内で回動することで、各ホッパーカセットを、対応するホッパーカセット収納部に同時に固定または固定解除する複数のロック操作レバー（カセット固定部材）と、前記各ホッパーカセットのシャッタを同時に開閉する複数のシャッタ操作ピンとが、それぞれ所定ピッチで連結された一括操作軸体と、一括操作軸体をその軸線を中心にして回動させるキーロック機構とを備えている。キーロック機構のキー操作により一括操作軸体を回動させると、各ロック操作レバーおよび各シャッタ操作ピンが垂直面内で回動し、これにより全てのホッパーカセットがホッパーカセット収納部に同時に固定または固定解除されるとともに、前記各シャッタが同時に開閉される。このとき、各ロック操作レバーは、上方から下方に向かって回動することで、各ホッパーカセットをホッパーカセット収納部に固定する。固定解除時には、この反対方向への回動となる。
【０００６】
【特許文献１】
特開２０００−６７２７８
【０００７】
【発明が解決しようとする課題】
しかしながら、従来のカード発行機のカセットセット機構にあっては、このようにホッパーカセットのロック方法として、垂直面内で上方向からロック操作レバーにより押さえ込むキーロック機構を採用していた。そのため、キーロック機構のキー操作に大きな力を要していた。その結果、例えば女性などの非力な作業者では、ホッパーカセット収納部へのホッパーカセットの固定または固定解除操作が困難であった。
【０００８】
また、このように一括操作軸体を回動するようにしたので、キーロック機構の設置位置が、カード発行機の筐体の側板に限定されていた。
【０００９】
本発明は、構造が簡単で、小さな操作力で複数のホッパーカセットをホッパーカセット収納部に固定または固定解除することができ、これにより女性などの非力な作業者でも、ホッパーカセット収納部に対するホッパーカセットの入れ換え作業を容易に行うことができるカード発行機のカセットセット機構を提供することを目的とする。
【００１０】
また、本発明は、カムまたはギヤなどを介在させることで、キーロック機構の設置位置をカード発行機の任意の位置に設定することができるカード発行機のカセットセット機構を提供することを目的とする。
【００１１】
さらにまた、本発明は、キーロック機構の操作キーの取り忘れを防止することができるカード発行機のカセットセット機構を提供することを目的とする。
【００１２】
【課題を解決するための手段】
かかる目的を達成するため、請求項１記載の発明にかかるカード発行機のカセットセット機構は、カードを発行するカード発行機能を備えたカード発行機の筐体内に配備され、発行前の多数のカードをそれぞれ収納する複数のホッパーカセットと、各ホッパーカセットを収納可能な複数のホッパーカセット収納部とを備えたカード発行機のカセットセット機構において、各ホッパーカセット収納部に配置され、水平方向に移動することで、各ホッパーカセットを、対応するホッパーカセット収納部に固定または固定解除する複数のカセット固定部材と、各カセット固定部材が連結され、水平方向に移動可能な一括操作部材とを有するようにしている。
【００１３】
したがって、一括操作部材を水平方向に移動することで、複数のカセット固定部材が水平方向に移動する。これにより、各ホッパーカセットを、対応するホッパーカセット収納部に固定または固定解除する。このように、一括操作部材およびカセット固定部材を水平方向に移動させて各ホッパーカセットを対応するホッパーカセット収納部に固定および固定解除するようにしたので、従来の垂直面内で上方向からロック操作レバーによって押さえ込むキーロック機構に比べ、小さな操作力で複数のホッパーカセットを同時に固定または固定解除することができる。
【００１４】
その結果、簡単な構造でありながら、女性などの力の弱い作業者でも、ホッパーカセットの入れ換え作業を容易に行うことができる。
【００１５】
また、請求項２記載の発明は、請求項１記載のカード発行機のカセットセット機構において、キーロック機構のキー操作に連動して一括操作部材を水平方向に移動する操作を行うようにしている。
【００１６】
したがって、カード発行機の所定位置に設けられたキーロック機構のキー操作をすると、例えばカムまたはギヤなどを介して、キーの回転操作力が一括操作部材の水平操作力に変換される。したがって、カムまたはギヤなどを介在させることで、キーロック機構の設置位置をカード発行機の任意の位置に設定することができる。
【００１７】
さらに、請求項３記載の発明は、請求項１または２記載のカード発行機のカセットセット機構において、筐体には筐体蓋が設けられ、この筐体蓋は、操作キーをキーロック機構から取り外した場合にだけ、筐体蓋が閉蓋可能な構造としている。
【００１８】
したがって、操作キーをキーロック機構から取り外さなければ、筐体蓋を閉蓋できない。そのため、操作キーの取り忘れを防ぐことができる。
【００１９】
【発明の実施の形態】
以下、本発明の構成を図面に示す実施の形態に基づいて説明する。
【００２０】
図１から図７に、本発明のカード発行機のカセットセット機構の一実施形態を示す。このカード発行機のカセットセット機構（以下、カセットセット機構）１０は、例えば、カード１１を発行するカード発行機１２の筐体１２Ａの内部に配備され、発行前の多数のカード１１を収納する同一形状の複数のホッパーカセット１３と、各ホッパーカセット１３を収納可能な複数のホッパーカセット収納部１４とを備えて構成されている。
【００２１】
カード発行機１２の内部には、例えばホッパーカセット１３を配設したホッパーカセット部１７と、各ホッパーカセット１３のカード供給部からカード１１を取り出すカード取り出し移動機構１８と、カード１１に所定の文字および記号などを刻むインデント／エンボス機構１９と、刻まれた文字および記号などに色付けするトッパー機構２０と、カード１１に所定の記録を行ってカード発行口２１ａよりカード１１を発行するカードリーダ部２１と、カード発行機１２の全体を制御する制御部２２とが、それぞれ所定位置に配設されている。
【００２２】
次に、ホッパーカセット部１７を詳細に説明する。
【００２３】
ホッパーカセット部１７は、多数のカード１１を積み重ねてストックするとともに、下端部にカード供給部（図示せず）が形成された複数のホッパーカセット１３と、筐体１２Ａのインデント／エンボス機構１９とは反対側の壁板１２ａの上部に配された複数のホッパーカセット収納部１４とから構成されている。本実施形態では、例えばそれぞれ４個のホッパーカセット１３Ａ〜１３Ｄおよびホッパーカセット収納部１４Ａ〜１４Ｄを備えている。各ホッパーカセット１３Ａ〜１３Ｄは、それぞれの下端部のカード取り出し移動機構１８側の面に形成されたカード供給部からカード１１を取り出せるように、直列状態で配置されている。各ホッパーカセット１３Ａ〜１３Ｄには、異なる種類のカード１１を収納しても良く、また全てのホッパーカセット１３Ａ〜１３Ｄに同じ種類のカード１１を収納しても良い。各カード供給部には、カード１枚分の厚さよりも大きくかつカード２枚分の厚さよりも小さい隙間が形成されている。したがって、カード１１は２枚以上を同時に取り出せない。
【００２４】
各ホッパーカセット１３Ａ〜１３Ｄは、縦長な平面視して矩形状のボックスで、上蓋２３を開いて上方からカード１１を補充するように構成されている。各ホッパーカセット１３Ａ〜１３Ｄの背板１３ｘの外面の一側部には、逆Ｌ字形の長尺なシャッタ開閉操作ボックス２４が固着されている。各シャッタ開閉操作ボックス２４の内部には、対応するホッパーカセット１３Ａ〜１３Ｄの下端部の内部に設けられたシャッタを開閉操作する図示しないシャッタ機構がそれぞれ収納されている。各シャッタ開閉操作ボックス２４の外板２４ａの一側板２４ｂ側の端には、略カセット全長にわたる長尺片２４ｃが突設されている。また、各シャッタ開閉操作ボックス２４の下端部には、３本の溝ａ，ｂ，ｃが刻設されている。
【００２５】
このうち、溝ａは縦溝で、シャッタ開閉操作ボックス２４の外板２４ａの幅方向の中間部に、シャッタ開閉操作ボックス２４の下板を貫通して形成されている。溝ｂは比較的長尺な横溝で、外板２４ａの下端部に、シャッタ開閉操作ボックス２４の一側板２４ｂおよび長尺片２４ｃの下端部を貫通して形成されている。２本の溝ａ，ｂは、略Ｔ字形に連通されている。溝ｂの一側板２４ｂとは反対側の端部の下壁からは、第１のスイッチＳ１が垂直面内で回動可能に突設されている。第１のスイッチＳ１は、各ホッパーカセット１３Ａ〜１３Ｄの下端部に配設され、カード供給部からのカード１１の取り出しを規制または規制解除する図示しない揺動爪の揺動を阻止する揺動ストッパ２９を垂直面内で所定角度だけ回動させてその揺動を許容させるスイッチである。そして、残りの溝ｃは比較的短尺な横溝で、溝ｂとシャッタ開閉操作ボックス２４の下板との中間位置に、一側板２４ｂを貫通して形成されている。この溝ｃは、溝ａと連通していない。溝ｃの下壁からは、前記シャッタを開閉操作する図示しないシャッタ操作レバーの先端部である第２のスイッチＳ２が、溝ｃの長さ方向に向かって移動可能に突出している。
【００２６】
第１のスイッチＳ１は、ピン形状のシャッタロック解除突起Ｐ１により操作される。また、第２のスイッチＳ２は短尺なレバー形状のシャッタ開閉突起Ｐ２により操作される。両突起Ｐ１，Ｐ２は、カセット固定突起Ｐ３（カセット固定部材）とともに壁板１２ａの内部に収納され、水平方向に移動可能な長尺な一括操作レバー（一括操作部材）３０のホッパーカセット部１７側の面の所定位置に例えば４組だけ突設されている。カセット固定突起Ｐ３は、各ホッパーカセット１３Ａ〜１３Ｄをホッパーカセット収納部１４Ａ〜１４Ｄに固定および固定解除する突起である。このカセット固定突起Ｐ３は、他の２本の突起Ｐ１，Ｐ２とともに、ホッパーカセット１３Ａ〜１３Ｄがホッパーカセット収納部１４Ａ〜１４Ｄから引き抜かれるのを防止する。一括操作レバー３０は、例えば横Ｌ字形を有する金属板である。各組内の突起Ｐ１〜Ｐ３のうち、シャッタ開閉突起Ｐ２とカセット固定突起Ｐ３とは、所定間隔をあけて垂直配置されている。また、シャッタロック解除突起Ｐ１とカセット固定突起Ｐ３との間隔は、一側板２４ｂ近傍から溝ａ，ｂの交差部分までと略同じ間隔である。
【００２７】
一括操作レバー３０は、そのＬ字形の長尺部分の先端部と、そのＬ字形の短尺部分の中間部と、これらの長尺部分と短尺部分との連結部分とに、それぞれ水平方向に長い長孔３０ａが形成されている。各長孔３０ａには、それぞれガイドローラ３１が回転自在に遊挿されている。これらのガイドローラ３１は、各ローラ軸の元部が、壁板１２ａに固定された正面視して矩形状の取り付け板３２の所定位置にそれぞれ取り付けられている。また、この取り付け板３２の長さ方向の中間部付近と一括操作レバー３０の短尺部の元部との間には、常時、この一括操作レバー３０を筐体１２Ａのカードリーダ部２１側の壁板方向に付勢するコイルばね３３が掛け渡されている。このコイルばね３３のばね力により一括操作レバー３０が水平方向に移動した位置が、前記カセット固定突起Ｐ３によるホッパーカセット１３Ａ〜１３Ｄの固定解除位置となる。また、一括操作レバー３０の短尺部の上端には、水平に屈曲された上端片３０ｂが一体形成されている。この上端片３０ｂには、略その全長にわたって長孔３０ｃが形成されている。
【００２８】
また、取り付け板３２の上端片３０ｂ側の端部には、垂直な立ち上げ部３２ａの元部が連結されている。この立ち上げ部３２ａの上端には、上端片３０ｂより上方位置で、水平に屈曲された上端片３２ｂが一体形成されている。この上端片３２ｂの先部には、キー操作に伴って一括操作レバー３０をその長さ方向に水平に移動させるキーロック機構３３が取り付けられている。このキーロック機構３３は、上端片３２ｂに固定されたシリンダ錠３４と、シリンダ錠３４のシリンダ軸に固定された回動片３５と、この回動片３５の先端部に垂下され、下端部が前記長孔３０ｃに遊挿された操作ピン３６とから構成されている。シリンダ錠３４に挿着されたキー３７の回動操作により回動片３５を介して操作ピン３６が回動し、これに伴って長孔３０ｃを介して一括操作レバー３０が壁板１２ａに沿って所定距離だけ水平方向に移動する。その結果、各突起Ｐ１〜Ｐ３が同じ方向に同じ距離だけ移動する。キーロック機構３３の筐体１２Ａの高さ位置は、キー３７をシリンダ錠３４から抜いた場合にだけ、筐体１２Ａの上部の開口部に取り付けられた筐体蓋１２Ｂを閉蓋できる位置としている。
【００２９】
次に、図２に示すように、一実施形態のカセットセット機構１０を有するカード発行機１２の作動を説明する。
【００３０】
カード発行時には、まず指定されたホッパーカセット１３Ａ〜１３Ｄのいずれかのカード供給部から、図示しないカード取り出し移動機構１８により１枚のカード１１を取り出す。その後、これをインデント／エンボス機構１９まで移動し、カード１１に所定の文字および記号などを刻む。続いて、カード１１はカード移動機構によりトッパー機構２０まで移動され、刻まれた文字および記号などの表面に、例えば銀色のフィルムが融着されて色が付けられる。その後、カード１１はカード移動機構によりカードリーダ部２１へ移動される。ここでは、カード１１に所定の記録がなされる。その後、カード発行口２１ａよりカード１１が発行される。
【００３１】
ところで、このようなカード発行に先駆け、ホッパーカセット部１７では、各ホッパーカセット１３Ａ〜１３Ｄのホッパーカセット収納部１４Ａ〜１４Ｄに対する収納作業が行われる。以下、この作業を詳述する。
【００３２】
前述したように、各突起Ｐ１〜Ｐ３は、あらかじめ一括操作レバー３０を介して、コイルばね３３のばね力によりホッパーカセット１３Ａ〜１３Ｄの固定解除位置に配置されている。したがって、作業者が各ホッパーカセット１３Ａ〜１３Ｄをホッパーカセット収納部１４Ａ〜１４Ｄに収納すると、カセット固定突起Ｐ３が溝ｂの一側板２４ｂ側の端付近に配置される。シャッタロック解除突起Ｐ１は、溝ａの下端から溝内に入り溝ｂとの交差部分に配置される。そして、シャッタ開閉突起Ｐ２は溝ｃの一側板２４ｂ側の端付近に配置される（図６）。
【００３３】
次に、作業者がキー３７を固定側に９０度回動させる。すると、シリンダ軸および回動片３５を介して操作ピン３６が固定側に回動し、上端片３０ｂの長孔３０ｃの形成部を介して、一括操作レバー３０が、コイルばね３３のばね力に抗して壁板１２ａに沿って所定距離だけ水平移動する。よって、各突起Ｐ１〜Ｐ３が一括操作レバー３０と同じ方向に同じ距離だけ移動する。これにより、カセット固定突起Ｐ３を介して、ホッパーカセット１３Ａ〜１３Ｄがそれぞれ対応するホッパーカセット収納部１４Ａ〜１４Ｄに固定される。これと同時に、第１のスイッチＳ１はシャッタロック解除突起Ｐ１により操作され、前記揺動ストッパ２９の揺動を許容する。これにより、各カード供給部からのカード１１の取り出しを規制または規制解除する揺動爪の揺動を許容する。さらに、シャッタ操作レバーの先端部である第２のスイッチＳ２がシャッタ開閉突起Ｐ２により操作され、シャッタが開く（図７）。
【００３４】
ホッパーカセット１３Ａ〜１３Ｄをホッパーカセット収納部１４Ａ〜１４Ｄから取り出す場合には、上述したキー操作を反対に行えばよい。
【００３５】
このように、一括操作レバー３０を水平方向に移動し、カセット固定突起Ｐ３を介して、各ホッパーカセット１３Ａ〜１３Ｄをそれぞれ対応するホッパーカセット収納部１４Ａ〜１４Ｄに固定または固定解除するようにしたので、従来の垂直面内で上方向からロック操作レバーによって押さえ込むキーロック機構に比べて、小さな操作力で複数のホッパーカセット１３Ａ〜１３Ｄを同時に固定または固定解除することができる。このように簡単な構造でありながら、女性などの力が弱い作業者でも、ホッパーカセット１３Ａ〜１３Ｄの入れ換え作業を容易に行うことができる。
【００３６】
また、キーロック機構３３のキー操作に連動して一括操作レバー３０を操作するようにしたので、カム構造を介することで、キーロック機構３３の設置位置をカード発行機１２の任意の位置に設定することができる。
【００３７】
さらに、キー３７をキーロック機構３３から抜き取らなければ、筐体蓋１２Ｂを閉蓋できない構成としたので、キー３７の取り忘れを防ぐことができる。
【００３８】
なお、上述の実施形態は本発明の好適な実施の一例ではあるがこれに限定されるものではなく、本発明の要旨を逸脱しない範囲において種々変形実施可能である。一括操作部材は板材に限らず、例えば棒材などでもよい。また、カセット固定部材の個数、形状なども限定されない。筐体上でのキーロック機構の位置は限定されない。例えば側板でもよい。さらに、筐体蓋は、操作キーをキーロック機構から取り外した場合にだけ、筐体蓋が閉蓋可能な構造にしなくてもよい。
【００３９】
【発明の効果】
以上の説明より明らかなように、請求項１記載の発明にかかるカード発行機のカセットセット機構によると、一括操作部材を水平方向に移動することで、カセット固定部材を介して、対応するホッパーカセット収納部に各ホッパーカセットを固定または固定解除するので、従来の垂直面内で上方向からロック操作レバーによって押さえ込むキーロック機構に比べ、小さな操作力でも複数のホッパーカセットを同時に固定または固定解除することができる。その結果、簡単な構造により、女性などの力の弱い作業者でも、ホッパーカセットの入れ換え作業を容易に行うことができる。
【００４０】
また、請求項２記載の発明にかかるカード発行機のカセットセット機構によると、カード発行機に設けられたキーロック機構のキー操作に連動して一括操作部材を操作するようにしたので、カムまたはギヤなどを介することで、キーロック機構の設置位置をカード発行機の任意の位置に設定することができる。
【００４１】
さらに、請求項３記載の発明にかかるカード発行機のカセットセット機構によると、操作キーをキーロック機構から取り外さなければ、筐体蓋を閉蓋できないように構成したので、操作キーの取り忘れを防止することができる。
【図面の簡単な説明】
【図１】本発明のカード発行機のカセットセット機構の一実施形態を示す要部拡大正面図である。
【図２】本発明のカード発行機のカセットセット機構が適用されたカード発行機の概略構成を示す平面図である。
【図３】本発明のカード発行機のカセットセット機構の一実施形態を示す要部拡大平面図である。
【図４】本発明のカード発行機のカセットセット機構の一実施形態を示す要部拡大側面図である。
【図５】本発明のカード発行機のカセットセット機構の一実施形態に組み込まれたキーロック機構による一括操作部材の水平方向への移動状態を示す斜視図である。
【図６】本発明のカード発行機のカセットセット機構の一実施形態において、ホッパーカセットのホッパーカセット収納部への収納完了直前の状態を示す斜視図である。
【図７】本発明のカード発行機のカセットセット機構の一実施形態において、ホッパーカセットのホッパーカセット収納部への固定状態を示す斜視図である。
【図８】カセットセット機構の要部を拡大して示す一部断面側面図である。
【符号の説明】
１０　カード発行機のカセットセット機構
１１　カード
１２　カード発行機
１２Ａ　筐体
１２Ｂ　筐体蓋
１３Ａ〜１３Ｄ　ホッパーカセット
１４Ａ〜１４Ｄ　ホッパーカセット収納部
３０　一括操作レバー（一括操作部材）
３３　キーロック機構
３７　キー
Ｐ３　カセット固定突起（カセット固定部材）
【図１】
2004127193.tif 000003
【図２】
2004127193.tif 000004
【図３】
2004127193.tif 000005
【図４】
2004127193.tif 000006
【図５】
2004127193.tif 000007
【図６】
2004127193.tif 000008
【図７】
2004127193.tif 000009
【図８】
2004127193.tif 000010